(57)【要約】      （修正有）【課題】簡易に、かつ、居住性に制約を生ぜしめない形態として設置できる壁掛け神棚を提供する。【解決手段】左右の側板１１と、上部の屋根板と、底部の底板１３と、背部の背板とでなる箱型状の枠体の前面の開放口１６に、前蓋枠部１５ｂ〜ｄが着脱自在に取り付けられている壁掛け神棚であって、背板には、その上方中央部に掛止め具に掛け止めするための掛止め孔を設けており、開放口の上部に前蓋の上端を挿入するとともに、底板の上面に前蓋の下端を接触係止させることで、開放口を前蓋で閉塞するようにした。前蓋枠内に透明パネルを配置し、枠体の底板上に御札を収蔵するようにし、透明パネルを通して御札を視認することができるようにしたことも特徴とする。【選択図】図８
0003194308.tif 000002
【実用新案登録請求の範囲】
【請求項１】
左右の側板と、上部の屋根板と、底部の底板と、背部の背板とでなる箱型状の枠体の前面の開放口に、前蓋が着脱自在に取り付けられている壁掛け神棚であって、
前記背板には、
その上方中央部に掛止め具２１に掛け止めするための掛止め孔を設けており、
前記開放口の上部に前蓋の上端を挿入するとともに、
前記底板の上面に前蓋の下端を接触係止させることで、
前記開放口を前蓋で閉塞するようにしたことを特徴とする壁掛け神棚。
【請求項２】
前記前蓋が透明パネルで形成されていることを特徴とする請求項１に記載の壁掛け神棚。
【請求項３】
前記枠体の底板上に御札を収蔵するようにし、
前記透明の前蓋を通して御札を視認することができるようにしたことを特徴とする請求項２に記載の壁掛け神棚。
【請求項４】
壁面に固定された掛止め具の、上向きに傾斜して形成された傾斜部に、
前記背板の掛止め孔を掛け止めるようにしたことを特徴とする請求項１乃至３のいずれか１項に記載の壁掛け神棚。
【考案の詳細な説明】
【技術分野】
【０００１】
本考案は、壁面に掛止めする壁掛け神棚に関する。
より詳しくは、壁面に掛け止められる奥行の浅い箱状に形成した枠体の内部に御札を収蔵し、その枠体の前面側の開放口に前蓋を着脱自在に嵌挿するようにした壁掛け神棚に関する。
【背景技術】
【０００２】
従来の葬祭具たる神棚は、室内の壁面や、壁面の上部に配位して天井に吊下げ支持させているものがある。すなわち、従来の神棚はその容積や重量の大きなものが多く、設置するための場所などに制約があった。また、それの取付け施工なども面倒であった。
さらに、近年の住宅の様式や間取りが、従来の神棚を祭祀するようには施工されておらず、従来のような容積や重量の神棚では、マンション等の部屋の壁面への取り付けが困難であった。また、近時、部屋の壁面の材質が石膏ボードの上に壁紙を接着材で被覆した施工例もあり、従来方式の神棚の取り付けが困難になっている。
このような従来方式の神棚として以下の特許文献がある。
【先行技術文献】
【特許文献】
【０００３】
【特許文献１】実用新案登録第３０５９０１４号公報
【考案の概要】
【考案が解決しようとする課題】
【０００４】
本考案は、神棚を祭祀する際に生じている上述の問題を解消せしめるためになされたものであって、近年の住宅の様式や間取りが、従来の神棚を祭祀するようには施工されていない住宅であっても、簡易に、かつ、居住性に制約を生ぜしめない形態として設置できる壁掛け神棚を提供することを目的とする。
【課題を解決するための手段】
【０００５】
（１）本考案壁掛け神棚は、左右の側板と、上部の屋根板と、底部の底板と、背部の背板とでなる箱型状の枠体の前面の開放口に、前蓋が着脱自在に取り付けられている壁掛け神棚であって、
前記背板には、
その上方中央部に掛止め具に掛け止めするための掛止め孔を設けており、
前記開放口の上部に前蓋の上端を挿入するとともに、
前記底板の上面に前蓋の下端を接触係止させることで、
前記開放口を前蓋で閉塞するようにしたことを特徴とする。
（２）本考案壁掛け神棚は、上記（１）において、
前記前蓋が透明パネルで形成されていることを特徴とする。
（３）本考案壁掛け神棚は、上記（２）において、
前記枠体の底板上に御札を収蔵するようにし、
前記透明の前蓋を通して御札を視認することができるようにしたことを特徴とする。
（４）本考案壁掛け神棚は、上記（１）乃至（３）において、
壁面に固定された掛止め具の、上向きに傾斜して形成された傾斜部に、
前記背板の掛止め孔を掛け止めるようにしたことを特徴とする。
【考案の効果】
【０００６】
本考案の壁掛け神棚は、建坪・間取りに余裕がなく、また、神棚を、ふさわしい形態に祭祀すべき構造に作られていない近代的な様式の住宅であっても、簡単に、かつ、居住性に制約を生ぜしめない形態として神棚を設置できる。
また、背板上部に、掛止め具に掛け止めするための貫通した掛止め孔を設けているので、
簡易に取り付けやすい。
【図面の簡単な説明】
【０００７】
【図１】本考案の壁掛け神棚の実施形態を示す正面図である。
【図２】実施形態の壁掛け神棚を示す上面図である。
【図３】実施形態の壁掛け神棚を示す背面図である。
【図４】実施形態の壁掛け神棚の前蓋を示す正面図である。
【図５】前蓋を取り付けた状態の壁掛け神棚の概略斜視図である。
【図６】前蓋を取り外した状態の壁掛け神棚の概略斜視図である。
【図７】前蓋を開放口に装着する初期の状態を示す概略斜視図である。
【図８】前蓋を開放口に装着する終期の状態を示す概略斜視図である。
【図９】壁掛け神棚を壁面に掛止めするための掛止め具を説明する概略斜視図である。
【図１０】壁掛け神棚を壁面に固定した掛止め具に掛止めした状態を示す概略側面図である。
【考案を実施するための形態】
【０００８】
＜全体構成＞
次に、本考案の壁掛け神棚の実施形態を図面を用いて詳細に説明する。
図１の正面図、図２の上面図、図３の背面図、図４の前蓋の正面図、及び、図５の前蓋を取り付けた状態、図６の前蓋を取り外した状態の斜視図に示すように、
壁掛け神棚１０は、左右の側板１１・１１と、上部の屋根板１２と、底部の底板１３と、背部の背板１４とでなる箱型状の枠体１７の前面に、前蓋１５が着脱自在に取り付けられている。
【０００９】
＜枠体＞
壁掛け神棚１０の本体ケースとなる枠体１７は、奥行の薄い左右の側板１１、１１と、側板１１、１１の上部に傾斜させて取り付けた屋根板１２と、側板１１、１１の下部に取り付けた平らな底板１３と、側板１１、１１の背部に取り付けた平らな背板１４とで、前面側が開放した開放口１６を備えた奥行の薄い箱型状に形成してある。
そして、その前面の開放口１６には、前蓋１５が着脱自在に嵌挿されている。
すなわち、前蓋１５は、箱型状の枠体１７の前面の開放口１６の上部にその上端を挿入するとともに、底板１３の上面に前蓋１５の下端を接触係止させることで、箱型状の枠体１７の前面の開放口１６を閉塞するようになっている。
なお、枠体１７は、木材などを用いて形成されている。
【００１０】
＜左右の側板＞
側板１１、１１は、枠体１７の左右壁部として構成され、薄厚の縦長の長方形板が垂直に取り付けられている。
【００１１】
＜屋根板＞
屋根板１２は、枠体１７の上方屋根部として構成され、薄厚の横長の長方形板が、後部が高く前部が低い形で前傾斜して取り付けられている。
なお、枠体１７の屋根板１２は、全体を前傾斜状に構成しているが、前側だけを傾斜状に形成して、後側を平板状に形成してもよい。
【００１２】
＜底板＞
底板１３は、枠体１７の下方底部として構成され、薄厚の横長の長方形板が水平に取り付けられている。
【００１３】
＜背板＞
背板１４は、枠体１７の後方背部として構成され、薄厚の縦長の長方形板が垂直に取り付けられている。
また、背板１４の上方中央部には、背板１４の一部を貫通させて形成した掛止め孔１４ａが設けられており、部屋の壁面に固定した掛止め具２１に挿入して神棚１０を掛止めるようになっている。
【００１４】
＜前蓋＞
この枠体１７の前面側の開放口１６に開閉自在に着脱する前蓋１５は、図４に示すように、アクリル樹脂などで構成された透明パネル１５ａの周囲を、木材などで構成された枠部１５ｂで固定した平面状の板であり、枠体１７の前面に着脱自在に嵌挿できるようになっている。
前蓋１５を枠体１７の開放口１６へ装着するには、図７及び図８に示すように、前蓋１５の上端１５ｃを、枠体１７の開放口１６の上方に横方向に差し渡した棟木１７ａの後方に挿入させ、前蓋１５の下端１５ｄを底板１３の上面に接触係止させて枠体１７の前面の開放口１６を閉塞する。
前蓋１５を枠体１７の開放口１６から取り外すには、前蓋１５の底板１３の上面に接触係止させた下端１５ｄを手前に引くようにする。
このようにして、前蓋１５は、枠体１７の前面側の開放口１６に着脱できるようになっている。
【００１５】
＜前蓋の材質＞
この前蓋１５は、その大部分を、アクリル樹脂やガラスなどで形成される透明パネル１５ａを用いることが好ましい。
透明パネル１５ａを用いることで、前蓋１５を閉じても、内部に収蔵された御札を視認することができる。
なお、透明パネル１５ａの周囲を木材などの枠部１５ｂで固定することにより、前蓋１５の着脱時の取り扱いがしやすくなり、透明パネル１５ａの破壊を防止することができる。
【００１６】
この壁掛け神棚１０の本体ケースとなる枠体１７は、この実施形態おいては、奥行が約７ｃｍ、左右の巾が約１５ｃｍ、高さ約３０ｃｍとして構成してある。
【００１７】
＜掛止め具＞
また、この掛止め具２１は、図９に示しているように、神棚１０を掛止めるための傾斜部２１ｂと、部屋の壁面に固定するための垂直部２１ａとで構成されている。
すなわち、図９（ａ）に示すように、垂直部２１ａの細ピン穴２１ｃに細ピン２２を挿入し、傾斜部２１ｂの太ピン穴２１ｄに太ピン２３を挿入して、掛止め具２１を壁面に固定するようになっている。
このように、細ピン２２と太ピン２３の２本で、しかも、ピンを異なる方向に挿入するようにしているので、壁面が石膏などの剥離しやすいものであっても掛止め具２１を強固に固定できる。
そして、図１０の概略側面図に示すように、神棚１０の背板１４の掛け止め孔１４ａを傾斜部２１ｂの先端から挿入して、神棚１０を掛止め具２１に掛止めるようにして部屋の壁面３１に取り付けることができる。
なお、掛止め具２１は、掛止め孔１４ａに掛止めする傾斜部２１ｂを上向きに傾斜して形成してあるので、一旦掛止めすると外れにくく、神棚１０を安定して壁に掛けておくことができ、地震などでも外れることがない。
【００１８】
以上説明したように、本考案による壁掛け神棚１０は、部屋の壁面に簡易に取付け設置できる。
そして、掛止めした壁掛け神棚１０は、御札を収蔵して前蓋１５を閉じた状態で奥行きが薄いので、その設置が居住性に殆んど制約を生ぜしめることがない。
【産業上の利用可能性】
【００１９】
本考案の壁掛け神棚は、近代的な様式の住宅や、建坪や間取りに余裕がない住宅であっても、簡易に、かつ、居住性に制約を生ぜしめない形態として設置でき、産業上の利用可能性が高い。
【符号の説明】
【００２０】
１０：壁掛け神棚
１１：側板
１２：屋根板
１３：底板
１４：背板
１４ａ：掛止め孔
１５：前蓋
１５ａ：透明パネル
１５ｂ：枠部
１５ｃ：前蓋の上端
１５ｄ：前蓋の下端
１６：開放口
１７：枠体
１７ａ：棟木
２１：掛止め具
２１ａ：垂直部
２１ｂ：傾斜部
２１ｃ：細ピン穴
２１ｄ：太ピン穴
２２：細ピン
２３：太ピン
３１：壁面
【図１】
0003194308.tif 000003
【図２】
0003194308.tif 000004
【図３】
0003194308.tif 000005
【図４】
0003194308.tif 000006
【図５】
0003194308.tif 000007
【図６】
0003194308.tif 000008
【図７】
0003194308.tif 000009
【図８】
0003194308.tif 000010
【図９】
0003194308.tif 000011
【図１０】
0003194308.tif 000012